(57)【要約】【課題】強化繊維を練り込んだ樹脂を使用して、射出成形同時転写法を行うと、成形品の光沢性が損なわれ、また、インキ流れが生じる点である。【解決手段】成形用Ａ型板１１、成形用Ｂ型板１３、加飾用Ａ型板１２と加飾用Ｂ型板１３を備える金型装置を用いて、以下の製造工程を行う。成形用Ａ型板１１と成形用Ｂ型板１３により形成される成形キャビティー内に材料樹脂を射出し、材料樹脂のガラス転移点付近温度で裸樹脂成形品５を取出す。転写シート１０を配置した加飾用Ａ型板１２と加飾用Ｂ型板１３の内部に裸樹脂成形品を配置して型締めし、裸樹脂成形品５の余熱を使って転写を行い、加飾成形品６を製造する。【選択図】図１
2014065252.tif 000002
【特許請求の範囲】
【請求項１】
単一金型装置に成形用Ａ型板、成形用Ｂ型板、加飾用Ａ型板と加飾用Ｂ型板を具備する射出成形用の金型装置と、基体シート上に加飾層が形成され前記加飾層の上に接着層が形成された加飾シートを用いて行い、以下の工程からなる加飾成形品の製造方法。
イ  前記加飾用Ａ型板の内部に前記加飾シートを配置するシート配置工程
ロ  前記金型装置を型締めし、前記成形用Ａ型板と前記成形用Ｂ型板により形成される成形キャビティー内に溶融状態の材料樹脂を射出し、裸樹脂成形品を成形する工程
ハ  前記材料樹脂のガラス転移点温度をＴｇ℃とし、前記成形用Ａ型板を冷却してその温度がＴｇ℃以下（Ｔｇ−１０）℃以上の取出し温度に至った時に前記金型装置を型開きして前記成形用Ａ型板から裸樹脂成形品を取出す工程
ニ  シート配置工程の後の前記加飾用Ａ型板の内部に前記裸樹脂成形品を配置し、前記金型装置を型締めし、前記裸樹脂成形品上に前記加飾シートの加飾層を移転して加飾成形品を製造する工程
ホ  前記金型装置を型開きして前記加飾用Ａ型板の内部から前記加飾成形品を取出す工程
【請求項２】
前記材料樹脂は、熱可塑性樹脂に強化繊維を練り込んだ材料樹脂である請求項１に記載した加飾成形品の製造方法。
【請求項３】
前記金型装置は可動板と固定板を有し、
前記成形用Ａ型板は成形用入れ子であり、前記加飾用Ａ型板は加飾用入れ子であり、前記成形用Ｂ型板と前記加飾用Ｂ型板は単一の共用Ｂ型板であり、
前記可動板又は前記固定板の一方である一方可動／固定板に前記共用Ｂ型板を配置し、可動板又は固定板の他方である他方可動／固定板にダイ移動機構を設け、
前記成形用Ａ型板と前記加飾用Ａ型板が前記ダイ移動機構によりそれぞれ前記共用Ｂ型板との嵌合位置に移動する金型装置である請求項１に記載した加飾成形品の製造方法。
【請求項４】
成形用Ａ型板と成形用Ｂ型板を具備する成形用熱プレス装置、加飾用Ａ型板と加飾用Ｂ型板を具備する成形用熱プレス装置と、基体シート上に加飾層が形成され前記加飾層の上に接着層が形成された加飾シートを用いて行い、以下の工程からなる加飾成形品の製造方法。
へ  前記加飾用Ａ型板の内部に前記加飾シートを配置するシート配置工程
ト  前記成形用Ａ型板と前記成形用Ｂ型板の間に板状の材料樹脂を配置し、前記成形用熱プレス装置をプレスして、裸樹脂成形品を成形する工程
チ  前記材料樹脂のガラス転移点温度をＴｇ℃とし、前記成形用Ａ型板を冷却してその温度がＴｇ℃以下（Ｔｇ−１０）℃以上の取出し温度に至った時に前記成形用熱プレス装置を型開きして前記成形用Ａ型板から裸樹脂成形品を取出す工程
リ  シート配置工程の後の前記加飾用Ａ型板の内部に前記裸樹脂成形品を配置し、前記加飾用熱プレス装置をプレスして、前記裸樹脂成形品上に加飾シートの加飾層を移転して加飾成形品を製造する工程
ヌ  前記加飾用熱プレス装置を型開きして前記加飾用Ａ型板の内部から前記加飾成形品を取出す工程
【請求項５】
前記材料樹脂は、熱可塑性樹脂に強化繊維を練り込んだ材料樹脂である請求項４に記載した加飾成形品の製造方法
【発明の詳細な説明】
【技術分野】
【０００１】
本発明は、射出成形および熱プレス成形による加飾成形品の製造方法に関するものである。
【背景技術】
【０００２】
加飾樹脂成形品の製造方法としては、転写シートまたはインサートシートである加飾シートを使用する射出成形同時加飾方法が多用されている（例えば、特許文献１参照）。
【０００３】
一方、近年、パーソナルコンピュータ等電子部品の筐体などで薄肉成形の需要が高まっている。薄肉成形の射出成形品に強度を付与するために材料樹脂としてガラスファイバーやカーボンファイバー等の強化繊維を練り込んだ樹脂の使用が好ましい。
【０００４】
ところが、射出成形同時転写方法に強化繊維を練り込んだ樹脂を使用すると、(1)樹脂射出時に強化繊維によって加飾シートが傷つき、加飾成形品の表面の光沢性が損なわれる、(2)射出ゲートから転写シートまでの距離を短くせざるを得ないので溶融樹脂に起因する高温により転写シートのインキ流れが生じる、などの問題点が生じる。
【０００５】
また、熱プレス成形にかかる加飾成形品の製造に、強化繊維を練り込んだ樹脂からなる材料を使用すると、柄流れ、発泡などの問題が生じる。
【先行技術文献】
【特許文献】
【０００６】
【特許文献１】特開２００６−６９１３２号公報
【発明の概要】
【発明が解決しようとする課題】
【０００７】
本発明が解決しようとする問題点は、薄肉成形で生じる射出成形の困難性と薄肉成形で生じる加飾シートを使用する加飾の困難性である。また、本発明が解決しようとする問題点は熱プレス成形を用いる型内加飾にかかる加飾成形品の製造方法において高温下の熱プレス成形により生じる加飾の困難性である。
【０００８】
本発明のその他の課題は、本発明の説明により明らかになる。
【課題を解決するための手段】
【０００９】
本発明の一の態様にかかる加飾成形品の製造方法は、
単一金型装置に成形用Ａ型板、成形用Ｂ型板、加飾用Ａ型板と加飾用Ｂ型板を具備する射出成形用の金型装置と、基体シート上に加飾層が形成され前記加飾層の上に接着層が形成された加飾シートを用いて行い、以下のイからホの工程からなる。
イ  前記加飾用Ａ型板の内部に前記加飾シートを配置するシート配置工程
ロ  前記金型装置を型締めし、前記成形用Ａ型板と前記成形用Ｂ型板により形成される成形キャビティー内に溶融状態の材料樹脂を射出し、裸樹脂成形品を成形する工程
ハ  前記材料樹脂のガラス転移点温度をＴｇ(1)℃とし、前記成形用Ａ型板を冷却してその温度がＴｇ(1)℃以下（Ｔｇ(1)−１０）℃以上の取出し温度（Ｔｍ℃）に至った時に前記金型装置を型開きして前記成形用Ａ型板から裸樹脂成形品を取出す工程
ニ  シート配置工程の後の前記加飾用Ａ型板の内部に前記裸樹脂成形品を配置し、前記金型装置を型締めし、前記裸樹脂成形品上に前記加飾シートの加飾層を移転して加飾成形品を製造する工程
ホ  前記金型装置を型開きして前記加飾用Ａ型板の内部から前記加飾成形品を取出す工程
【００１０】
本発明の好ましい実施態様にあって、前記材料樹脂は、熱可塑性樹脂に強化繊維を練り込んだ材料樹脂であってもよい。また、前記金型装置は可動板と固定板を有し、
前記成形用Ａ型板は成形用入れ子であり、前記加飾用Ａ型板は加飾用入れ子であり、前記成形用Ｂ型板と前記加飾用Ｂ型板は単一の共用Ｂ型板であり、
前記可動板又は前記固定板の一方である一方可動／固定板に前記共用Ｂ型板を配置し、可動板又は固定板の他方である他方可動／固定板にダイ移動機構を設け、
前記成形用Ａ型板と前記加飾用Ａ型板が前記ダイ移動機構によりそれぞれ前記共用Ｂ型板との嵌合位置に移動する金型装置であってもよい。
【００１１】
本発明の他の態様にかかる加飾成形品の製造方法は、成形用Ａ型板と成形用Ｂ型板を具備する成形用熱プレス装置、加飾用Ａ型板と加飾用Ｂ型板を具備する成形用熱プレス装置と、基体シート上に加飾層が形成され前記加飾層の上に接着層が形成された加飾シートを用いて行い、以下のへからヌの工程からなる。
へ  前記加飾用Ａ型板の内部に前記加飾シートを配置するシート配置工程
ト  前記成形用Ａ型板と前記成形用Ｂ型板の間に板状の材料樹脂を配置し、前記成形用熱プレス装置をプレスして、裸樹脂成形品を成形する工程
チ  前記材料樹脂のガラス転移点温度をＴｇ℃とし、前記成形用Ａ型板を冷却してその温度がＴｇ℃以下（Ｔｇ−１０）℃以上の取出し温度に至った時に前記成形用熱プレス装置を型開きして前記成形用Ａ型板から裸樹脂成形品を取出す工程
リ  シート配置工程の後の前記加飾用Ａ型板の内部に前記裸樹脂成形品を配置し、前記加飾用熱プレス装置をプレスして、前記裸樹脂成形品上に加飾シートの加飾層を移転して加飾成形品を製造する工程
ヌ  前記加飾用熱プレス装置を型開きして前記加飾用Ａ型板の内部から前記加飾成形品を取出す工程
【００１２】
本発明の好ましい実施態様にあって、前記材料樹脂は、熱可塑性樹脂に強化繊維を練り込んだ材料樹脂であってもよい。
【００１３】
以上説明した本発明、本発明の好ましい実施態様、これらに含まれる構成要素は可能な限り組み合わせて実施することができる。
【発明の効果】
【００１４】
本発明の一の態様にかかる射出成形による加飾成形品の製造方法にあっては、射出成形の過程と加飾の過程を分割すると共に、型内で加飾を行っている。このため射出成形時点では成形用金型内に加飾シートが存在しないので、薄肉成形の成形条件に最適な条件を設定できる。すなわち金型を高温に保つことによりキャビティー内で溶融樹脂の流動性を高めることも任意である。一方、加飾は射出成形直後の裸樹脂成形品の余熱を利用し、加飾用の金型内で型締めをし、圧熱で転写等の加飾を行う。裸樹脂成形品の温度は特定の温度範囲である取出し温度に近いから加飾成形品の表面は良好な光沢性が付与され、インキ流れが生じることもない。
【００１５】
そして、成形用Ａ型板は射出成形時の高温（射出成形温度）と取出し温度間で温度調節を繰り返し、加飾用Ａ型板は取出し温度と接着実行後に冷却して達する温度（接着取出し温度）内で温度調整を繰り返すので成形用Ａ型板と加飾用Ａ型板の両者共に温度範囲が小さくなり、短時間かつ省エネルギー消費で成形、加飾サイクルを繰り返すことができる利点を有する。
【００１６】
本発明の他の態様にかかる熱プレス成形による加飾成形品の製造方法にあっては、熱プレス成形の過程と加飾の過程を分割すると共に、型内で加飾を行っている。このため、加飾の過程を低温で行うこととなり、柄流れ、発泡などが生じない。さらに上記射出成形にかかる製造方法と同様に成形用Ａ型板と加飾用Ａ型板の両者共に温度範囲が小さくなるので、短時間かつ省エネルギー消費で成形、加飾サイクルを繰り返すことができる利点を有する。
【図面の簡単な説明】
【００１７】
【図１】図１は射出成形による加飾成形品の製造方法を示す工程図である。図１（ａ）はシート配置工程、図１（ｂ）は裸樹脂成形品成形の工程、図１（ｃ）は裸樹脂成形品取出しの工程、図１（ｄ）は加飾の工程、図１（ｅ）は加飾成形品取出しの工程をそれぞれ示している。
【図２】図２は転写シートの断面説明図である。
【図３】図３は熱プレス成形による加飾成形品の製造方法を示す工程図である。図３（ａ）は板状の材料樹脂の配置工程、図３（ｂ）は裸樹脂成形品の成形工程、図３（ｃ）は裸樹脂成形品の取出し工程、図３（ｄ）は加飾シート配置工程及び裸樹脂成形品の配置工程、図３（ｅ）は加飾工程、図３（ｆ）は加飾成形品取出しの工程をそれぞれ示している。
【発明を実施するための形態】
【００１８】
以下、図面を参照して本発明の実施例にかかる加飾成形品の製造方法をさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００１９】
図１は射出成形による加飾成形品の製造方法を示す工程図である。図１（ａ）はシート配置工程、図１（ｂ）は裸樹脂成形品成形の工程、図１（ｃ）は裸樹脂成形品取出しの工程、図１（ｄ）は加飾の工程、図１（ｅ）は加飾成形品取出しの工程をそれぞれ示している。
【００２０】
図１（ａ）を参照して、本発明にかかる加飾成形品の製造方法に使用する射出成形用金型装置を説明する。射出成形用の金型装置１は単一の金型装置内に成形用Ａ型板である成形用入れ子１１と成形用Ｂ型板である共用Ｂ型板１３を有し、また、加飾用Ａ型板である加飾用入れ子１２と加飾用Ｂ型板である共用Ｂ型板１３を有する。共用Ｂ型板１３は成形用Ｂ型板であると共に加飾用Ｂ型板である。
【００２１】
金型装置１は可動板１７と固定板１６を有する。可動板１７と固定板１６は図示しないタイバーで結ばれていてタイバーの移動によって型締めと型開きが行われる。
【００２２】
可動板１７に共用Ｂ型板１３が固定されている。固定板１６にダイ移動機構２１が取付けられている。ダイ移動機構２１にロッド２２が取付けられ、ロッド２２の他方端に成形用入れ子１１と加飾用入れ子１２が取付けられている。
【００２３】
図１（ａ）に図示した状態で成形用入れ子１１と共用Ｂ型板１３が嵌合する。ダイ移動機構２１が動作してロッド２２が下方に移動すると、加飾用入れ子１２と共用Ｂ型板１３が嵌合する位置に移動する。金型装置１はダイスライド方式の２色成形機である。金型装置はダイロータリー式の２色成形機であってもよい。
【００２４】
本発明を実施するために使用する金型装置は、Ｂ型板が共用でなく、成形用Ｂ型板と加飾用Ｂ型板を有していてもよい。またＢ型板が固定板に固定されていてもよい。この場合、ダイ移動機構、成形用入れ子、加飾用入れ子等は可動板に取り付けられる。
【００２５】
共用Ｂ型板１３はスプルー２４を有する。成形用入れ子１１の近傍に温度調節機構２６があり、加飾用入れ子１２の近傍に温度調節機構２７がある。温度調節機構２６、２７は、例えば温度調節された水又は油を循環させる方式である。
【００２６】
続いて、加飾成形品の製造方法を説明する。図１（ａ）を参照して、加飾シートである転写シート１０を加飾用入れ子１２に配置する。転写シート１０はその基体シート側が加飾用入れ子の内表面と対面する向きに配置される。転写シート１０は枚葉のシートをロボット機構により配置すると全体装置の構成が簡略になる。もっともロール状の長尺シートを転写単位分毎に巻きもどして配置してもよい。
【００２７】
図１（ｂ）は裸樹脂成形品の成形工程を示している。ダイ移動機構２１により成形用入れ子１１は共用Ｂ型板１３との嵌合位置に在る。成形用入れ子１１に転写シートは無い。金型装置１の型締め機構を動作して、可動板１７を固定板１６方向に移動させ、成形用入れ子１１と共用Ｂ型板１３を密着させる。
【００２８】
図１（ｃ）は裸樹脂成形品の取出し工程を示している。スプルー２４からキャビティーに向けて射出される溶融状態樹脂の材料樹脂はポリカーボネート、ＰＭＭＡ、ＡＢＳ、ＰＣ／ＡＢＳ、ＰＡなどであり、好ましくは熱可塑性樹脂に強化繊維を練り込んだ樹脂である。
【００２９】
本発明は薄肉かつ一定強度を有する樹脂成形品に型内加飾を行うにあたり生ずる困難を打開する発明であり、従来より射出成形同時加飾法で困難なく製造される材料樹脂はわざわざ本発明にかかる製造方法を実施する必要性に乏しいからである。もっとも、強化繊維を含まない材料樹脂を使用して本発明を実施してもよい。
【００３０】
強化繊維が練りこまれる樹脂は例えばポリカーボネート、ポリアミドである。練り込まれる繊維はガラス繊維、カーボンファイバーなどである。樹脂中の繊維は１０％〜５０％（重量／重量）である。
【００３１】
樹脂射出時の成形用入れ子１１の温度、射出時温度（Ｔｈ℃）は１００℃〜１５０℃である。Ｔｈをこのような比較的高温にすることにより、薄肉のキャビティー内であっても射出した溶融樹脂が良好に流動する。またキャビティー（成形用入れ子１１）内に転写シートが無いので、Ｔｈを比較的高温に保つことができる。
【００３２】
溶融樹脂を射出した後、温度調節機構２６により成形用入れ子１１の温度が成形取出し温度（Ｔｍ℃）に至ると型開きして成形用入れ子１１から裸樹脂成形品を取出す。材料樹脂のガラス転移点をＴｇ(1)℃として、Ｔｍ℃は（Ｔｇ(1)−１０）℃以上Ｔｇ(1)以下である。次の工程で転写シートを裸樹脂成形品に移転・接着するにあたり、加飾用入れ子の温度では接着に不十分なので、裸樹脂成形品を熱い温度で取出し、当該高温の熱を転写シートの接着に用いるものである。
【００３３】
図１（ｄ）は加飾工程の説明図である。ダイ移動機構２１を動作して、加飾用入れ子１２を共用Ｂ型板１３との嵌合位置に移動させる。上述したシート配置工程を終了しているので、加飾用入れ子１２のキャビティー内表面に転写シートが配置されている。
【００３４】
一方、共用Ｂ型板１３には裸樹脂成形品５が付着している。もし、共用Ｂ型板１３と裸樹脂成形品５が離間し脱落するのであれば、ロボットアーム等で保持・移動すればよい。金型装置１の型締め機構を動作して固定板１６に可動板１７を接近させ、型締めを行う。加飾用入れ子１２のキャビティーに裸樹脂成形品が入り、転写シート１０と密着する。転写シートに含まれる接着組成物（接着層として形成する場合が有り、また加飾層が接着剤として働くので、格別の接着層を形成しない場合もある）のガラス転移点をＴｇ(2)とした場合、加飾時の加飾用入れ子１２の温度はＴｇ(2)未満に保たれる。Ｔｇ(2)の具体例は６０℃〜９０℃である。転写シート１０の悪変を避けるためである。
【００３５】
加飾過程である転写シートの移転・接着はＴｇ(2)よりも高温で生じる。このため上記加飾用入れ子温度だけでは転写シートの移転・接着に熱エネルギーが不足する。本発明にあっては上述した熱エネルギーの不足は裸樹脂成形品５が有する熱により補う。
【００３６】
加飾過程は、必要に応じて圧縮空気により転写シート１０を裸樹脂成形品１０に押し付けて行ってもよい。このような圧空成形は（裸）樹脂成形品の表面形状が凹凸に富む場合などに有効である。
【００３７】
図１（ｅ）は加飾成形品取出しの工程を示している。加飾過程の終了後に加飾用入れ子１２は温度調節機構２７により冷却され、加飾用入れ子１２が接着取出し温度Ｔｌ℃になると金型装置１の型締め機構の動作で型開きされる。Ｔｌ℃は転写シート１０の接着組成物のガラス転移点Ｔｇ(2)以下の一定温度である。型開きは固定板１６と可動板１７の間隔を広げ、加飾用入れ子１２と共用Ｂ型板を圧着状態から離間状態にすることである。
【００３８】
加飾成形品６を取出す。続いてダイ移動機構２１が動作して成形用入れ子１１が共用Ｂ型板１３との嵌合位置に移動して、次の加飾成形品の製造サイクルに続く。
【００３９】
以上の製造方法で使用した加飾シートである転写シート１０を説明する。図２を参照して、転写シート１０は、離型層３９を形成した基体シート３０上に、剥離層３１、加飾層３３及び接着層３５を順次積層したものである。転写シート１０が、成形樹脂層に接着した後は基体シート３０と離型層３９が剥離除去され、剥離層３１、加飾層３３及び接着層３５の積層物が成形樹脂層上に形成された加飾成形品６が得られる。接着層３５は必要に応じて形成される。すなわち、加飾層３３が接着性を有する場合は接着層３５を省略してもよい。また、基体シート３０が離型性を有する場合は離型層３９を省略してもよい。
【００４０】
基体シート３０は、ポリプロピレン系樹脂、ポリエチレン系樹脂、ポリアミド系樹脂、ポリエステル系樹脂、アクリル系樹脂、ポリ塩化ビニル系樹脂、ポリカーボネート系樹脂、ポリウレタン系樹脂、ポリスチレン系樹脂、アセテート系樹脂、ポリアミド系樹脂などの樹脂シート、アルミニウム箔、銅箔などの金属箔、グラシン紙、コート紙、セロハンなどのセルロース系シート、およびこれらが複合されたシートなどが好ましい。
【００４１】
離型層３９の材質は、メラミン系樹脂、シリコン系樹脂、フッ素系樹脂、アルキッド系樹脂、フェノール系樹脂等を挙げることができ、剥離層からの離型性に応じて、適宜、好ましい材料を選択する。剥離層３１の材質は、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂等を挙げることができ、離型層３９からの剥離性に応じて、適宜、好ましい材料を選択する。
【００４２】
加飾層３３の材質は、ポリエステル系樹脂、アクリル系樹脂、ビニル系樹脂、硝化綿系樹脂、ウレタン系樹脂、塩化ゴム系樹脂などの樹脂バインダーに通常の顔料、染料などの着色剤を少量含ませたものを挙げることができるが、特に限定されない。また、アルミニウム、ニッケル、金、白金、クロム、鉄、銅、スズ、インジウム、銀、チタニウム、鉛、亜鉛、錫、酸化珪素などの金属、これらの合金または化合物などの金属膜で形成したものでもよい。
【００４３】
接着層３５の材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、成形樹脂との接着性に応じて、適宜、好ましい材料を選択する。
【００４４】
転写シートは、従来より、射出成形同時転写方法による加飾樹脂成形品の製造に使用されている転写シートと同じである。以上説明した基体シートの厚さ、剥離層３１、加飾層３３、接着層３５と離型層３９の形成方法、層の厚さなどは公知の転写シートと同一であり、説明を省略する。
【００４５】
以上、転写シートの例を示したが、転写シートの代わりに、加飾成形品に接着した後も、基体シート３０が加飾成形品６上に残存されるインサートシートを加飾シートとして用いて加飾成形品６を製造してもよい。インサートシートは前記転写シート１０の離型層３９、剥離層３１を省略する以外は、転写シート１０と同様にして形成する。インサートシートは、従来より、射出成形同時転写方法による加飾樹脂成形品の製造に使用されているインサートシートと同じである。
【００４６】
図３は熱プレス成形による加飾成形品の製造方法を示す工程図である。図３（ａ）は板状の材料樹脂の配置工程、図３（ｂ）は裸樹脂成形品の成形工程、図３（ｃ）は裸樹脂成形品の取出し工程、図３（ｄ）は加飾シート配置工程及び裸樹脂成形品の配置工程、図３（ｅ）は加飾工程、図３（ｆ）は加飾成形品取出しの工程をそれぞれ示している。
【００４７】
図３（ａ）を参照して、成形用熱プレス装置５１は成形用Ａ型板５２と成形用Ｂ型板５３を有する。成形用Ａ型板５２と成形用Ｂ型板５３を開いた状態で成形用Ａ型板５２と成形用Ｂ型板５３の間に板状の材料樹脂７１を配置する。通常用いる材料樹脂、好ましい材料樹脂等は図１を参照して説明した射出成形にかかる加飾樹脂成形品の製造方法と同一である。
【００４８】
熱プレス成形にかかる加飾樹脂成形品の製造方法にあっても、強化繊維を練り込んだ材料樹脂の成形には高温を必要とし、熱プレス成形と加飾シートを用いる加飾を同時に同一型板内で行うと成形に必要な高温が柄流れ・発泡など加飾に悪影響を与える。そこで本発明においては、熱プレス成形過程と加飾過程を分離すると共に、加飾過程は型内で行い、かつ、熱プレス成形過程の余熱を利用するものである。
【００４９】
図３（ｂ）は裸樹脂成形品の成形過程を示していて、熱プレス装置５１の型締め機構を用いて板状の材料樹脂をキャビティーの形状に成形する。成形時の成形用Ａ型板５２の温度を例示すると２００℃である。
【００５０】
図３（ｃ）を参照して説明する。整形用熱プレス装置５１の型締め機構を動作して型開きを行う。当該型開きは成形用Ａ型板の温度が成形取出し温度（Ｔｍ℃）に至った時に行う。成形取出し温度（Ｔｍ℃）は射出成形にかかる加飾成形品の製造方法における成形取出し温度（Ｔｍ℃）と同一である。
【００５１】
図３（ｄ）を参照して加飾シートを配置するシート配置工程と裸樹脂成形品の配置工程を説明する。加飾用熱プレス装置６１は加飾用Ａ型板６２と加飾用Ｂ型板６３を有する。加飾用Ａ型板６２と加飾用Ｂ型板６３を開いた状態で、加飾用Ａ型板６２に加飾シートである転写シート１０を配置する。転写シート１０は枚葉シートでもよく、１ショット分を連続的に形成した長尺シートを巻き戻していく態様であってもよい。転写シート１０を配置した加飾用Ａ型板６２の温度は、Ｔｇ(2)未満に保たれる。射出成形にかかる加飾成形品の製造方法における加飾用入れ子の温度と同一である。
【００５２】
また、加飾用Ａ型板６２と加飾用Ｂ型板６３を開いた状態で、加飾用Ａ型板６２と加飾用Ｂ型板６３の間に裸樹脂成形品７５を配置する。成形用熱プレス装置５１の型開き動作完了を時間計測開始点、裸樹脂成形品７５を入れての加飾用Ａ型板６２と加飾用Ｂ型板６３の型締め動作完了を時間計測終了点としたときの当該時間、その理由は、射出成形にかかる加飾成形品の製造方法における同様の時間、理由と同一である。
【００５３】
図３（ｅ）を参照して説明する。加飾用熱プレス装置６１の型締め機構を動作して型締めを行い、圧熱により転写シートの加飾層を移転・接着する。次に図３（ｆ）に図示するように、加飾用熱プレス装置６１の型締め機構を動作して型開きを行い、次に、加飾成形品７６を取り出す。以上で、加飾樹脂成形品の製造過程が終了する。
【００５４】
以上本発明にかかる一実施の形態について図面を参照して詳述してきたが、具体的な構成例はこの一実施の形態に限られるものではなく、本発明の要旨を逸脱しない範囲の設計変更などがあっても本発明に含まれる。
【符号の説明】
【００５５】
１    射出成形用の金型装置
５    裸樹脂成形品
６    加飾成形品
１０    加飾シートである転写シート
１１    成形用Ａ型板である成形用入れ子
１２    加飾用Ａ型板である加飾用入れ子
１３    成形用Ｂ型板であり加飾用Ｂ型板である共用Ｂ型板
１６    固定板
１７    可動板
２１    ダイ移動機構
２２    ロッド
２３    スプルー
２６    温度調節機構
２７    温度調節機構
３０    基体シート
３１    剥離層
３３    加飾層
３５    接着層
３９    離型層
５１    成形用熱プレス装置
５２    成形用Ａ型板
５３    成形用Ｂ型板
６１    加飾用熱プレス装置
６２    加飾用Ａ型板
６３    加飾用Ｂ型板
７１    板状の材料樹脂
７５    裸樹脂成形品
７６    加飾成形品
【図１】
2014065252.tif 000003
【図２】
2014065252.tif 000004
【図３】
2014065252.tif 000005